(57)【特許請求の範囲】
【請求項１】
シート体に画像を形成する画像形成手段、及び、シート体挿入口から前記画像形成手段を経由してシート体排出口に前記シート体を搬送するシート体搬送路、原稿の画像を読み取る画像読取手段、及び原稿挿入口から前記画像読取手段を経由して原稿排出口に前記原稿を搬送する原稿搬送路を内蔵する装置本体と、
前記装置本体を外装する外装部材と、
一端部を支点にして所定の開放位置と所定の閉鎖位置との間で揺動自在な蓋部材と、
一端部を支点にして所定の開位置と閉位置との間で揺動自在な仕切り部材と、を備え、
前記シート体挿入口及び前記シート体排出口を、前記装置本体の上部において、搬送されるべきシート体及び排出されたシート体の面方向に直交する方向に並設し、
前記蓋部材は、前記開放位置において、前記原稿挿入口、前記シート体挿入口及び前記シート体排出口を開放するとともに、前記原稿挿入口に挿入されるべき原稿、前記シート体挿入口から前記シート体搬送路に挿入されるべきシート体、及び前記シート体排出口から排出されたシート体を保持する一方、前記閉鎖位置において、前記外装部材の一部を構成するとともに前記シート体挿入口、前記シート体排出口、及び前記原稿挿入口を覆い、
前記仕切り部材の前記一端部は、前記シート体挿入口と前記シート体排出口との間に配置され、前記仕切り部材は、前記開位置において、前記シート体挿入口から前記シート体搬送路に挿入されるべきシート体と前記シート体排出口から排出されたシート体とを仕切る一方、前記閉位置において、前記装置本体内に収納され、
前記仕切り部材を前記蓋部材に連動して揺動させる連結部材は、一端部が前記仕切り部材に軸支され、前記蓋部材の突起部が摺動自在に挿入された長孔を有し、前記長孔内において他端部の上側に凹部を有することを特徴とする画像記録装置。
【請求項２】
前記蓋部材は、前記開放位置において前記シート体挿入口に挿入されるべきシート体の搬送方向の上流側に伸長する伸長部材を有することを特徴とする請求項１に記載の画像記録装置。
【請求項３】
前記仕切り部材は、前記開位置において前記シート体挿入口に挿入されるべきシート体の搬送方向の上流側に突出自在な突出部材を有することを特徴とする請求項１または２に記載の画像記録装置。
【請求項４】
前記仕切り部材は、前記開位置において、スプリングによって、前記蓋部材の方向に力を加えられることを特徴とする請求項１から３のいずれかに記載の画像記録装置。
【発明の詳細な説明】
【技術分野】
【０００１】
この発明は、シート体搬送路のシート体挿入口とシート体排出口とが装置本体の上部に並設された画像記録装置に関する。
【背景技術】
【０００２】
ファクシミリ装置などの画像記録装置は、例えば原稿からの反射光を検出することで原稿の画像を読み取る画像読取部、原稿挿入口から画像読取部を経由して原稿排出口に原稿を搬送する原稿搬送路、用紙などのシート体に画像を形成する画像形成部、及び、シート体挿入口から画像形成部を経由してシート体排出口にシート体を搬送するシート体搬送路を備えている。
【０００３】
このような画像記録装置の中には、シート体挿入口が画像記録装置の上部に配置されたものがある。図１に示すように、画像記録装置１におけるシート体挿入口２の近傍には、シート体挿入口から挿入されるべきシート体を保持する給紙トレイ３、及び、給紙トレイ３に保持されたシート体が容易に倒れることを防止する押え部材４が配置される。給紙トレイ３及び押え部材４は、画像記録装置１の装置本体５に固定され又は着脱自在に取り付けられる。給紙トレイ３は、安定してシート体を給紙するために必須の部材である。
【０００４】
押え部材４は、シート体挿入口とシート体排出口とがともに装置本体の上部に並設された画像記録装置では、画像形成前のシート体と画像形成後のシート体とを仕切る仕切り部材になる場合があり、この場合、画像形成後のシート体が再びシート体挿入口から挿入されることを防止するために必須の部材である。
【０００５】
また、開閉自在に形成された蓋部材を備え、開放位置における蓋部材が、シート体を保持する給紙トレイ及び原稿を保持する原稿トレイの役割をなすようにした画像記録装置もある（例えば、特許文献１参照。）。この特許文献１に記載された画像記録装置では、シート体挿入口とともに原稿挿入口も装置本体の上部に配置され、蓋部材は、閉鎖位置において原稿挿入口及びシート体挿入口を閉鎖するとしている。
【特許文献１】特開２００１−９７５６０公報
【発明の開示】
【発明が解決しようとする課題】
【０００６】
しかし、給紙トレイ３及び押え部材４が装置本体５に固定されている場合は、画像記録装置１を設置するために必要な面積が大きくなるため、十分なスペースを取れない場所には画像記録装置１を設置できなくなる。
【０００７】
また、給紙トレイ３及び押え部材４が着脱自在にされている場合は、不使用時には占有面積を小さくするために給紙トレイ３及び押え部材４が取り外されることが多く、原稿読取動作や画像形成動作をする装置の使用時に給紙トレイ３及び押え部材４が装着される。このため、給紙トレイ３及び押え部材４の取り付け及び取り外しの手間が必要となり、面倒であった。
【０００８】
さらに、特許文献１に記載された画像記録装置では、原稿挿入口及びシート体挿入口は装置本体の上部に配置される一方、画像形成後のシート体は、装置本体の前部から排出される。このため、装置本体の前方にシート体を排出するためのスペースを確保する必要があり、画像記録装置の設置のために大きなスペースが必要となる。また、特許文献１に記載された画像記録装置は、上述のように画像形成後のシート体を前部から排出するため、押え部材（仕切り部材）を備えておらず、開閉するのは画像形成前のシート体を保持する蓋部材のみである。
【０００９】
この発明の目的は、装置の使用時には簡単な操作で画像形成前のシート体と画像形成後のシート体とを仕切った状態で保持できるとともに、装置の不使用時には簡単な操作で小型化を図ることができる画像記録装置を提供することにある。
【課題を解決するための手段】
【００１０】
この発明の画像記録装置は、上述の課題を解決するために以下のように構成される。
【００１１】
（１）シート体に画像を形成する画像形成手段、及び、シート体挿入口から前記画像形成手段を経由してシート体排出口に前記シート体を搬送するシート体搬送路、原稿の画像を読み取る画像読取手段、及び原稿挿入口から前記画像読取手段を経由して原稿排出口に前記原稿を搬送する原稿搬送路を内蔵する装置本体と、前記装置本体を外装する外装部材と、一端部を支点にして所定の開放位置と所定の閉鎖位置との間で揺動自在な蓋部材と、一端部を支点にして所定の開位置と閉位置との間で揺動自在な仕切り部材と、を備え、前記シート体挿入口及び前記シート体排出口を、前記装置本体の上部において、搬送されるべきシート体及び排出されたシート体の面方向に直交する方向に並設し、前記蓋部材は、前記開放位置において、前記原稿挿入口、前記シート体挿入口及び前記シート体排出口を開放するとともに、前記原稿挿入口に挿入されるべき原稿、前記シート体挿入口から前記シート体搬送路に挿入されるべきシート体、及び前記シート体排出口から排出されたシート体を保持する一方、前記閉鎖位置において、前記外装部材の一部を構成するとともに前記シート体挿入口、前記シート体排出口、及び前記原稿挿入口を覆い、前記仕切り部材の前記一端部は、前記シート体挿入口と前記シート体排出口との間に配置され、前記仕切り部材は、前記開位置において、前記シート体挿入口から前記シート体搬送路に挿入されるべきシート体と前記シート体排出口から排出されたシート体とを仕切る一方、前記閉位置において、前記装置本体内に収納され、前記仕切り部材を前記蓋部材に連動して揺動させる連結部材は、一端部が前記仕切り部材に軸支され、前記蓋部材の突起部が摺動自在に挿入された長孔を有し、前記長孔内において他端部の上側に凹部を有することを特徴とする。
【００１２】
この構成においては、蓋部材は、一端部を支点にして開放位置と閉鎖位置との間で揺動する。また、仕切り部材は、一端部を支点にして開位置と閉位置との間で揺動する。画像形成動作などを行う装置の使用時には、蓋部材は、開放位置に配置され、少なくとも画像形成前のシート体を保持し、仕切り部材は、開位置に配置され、画像形成後のシート体を保持するとともに、画像形成前のシート体と画像形成後のシート体とを仕切って、画像形成後のシート体が再びシート体挿入口からシート体搬送路に挿入されることを防止する。
【００１３】
また、画像形成動作などを行わない装置の不使用時には、蓋部材は閉鎖位置に配置されて外装部材の一部を構成し、仕切り部材は閉位置に配置されることで装置本体内に収納される。
【００１５】
蓋部材が開放位置に揺動すると仕切り部材は開位置に揺動し、蓋部材が閉鎖位置に揺動すると仕切り部材は閉位置に揺動する。
【００１６】
（２）前記蓋部材は、前記開放位置において前記シート体挿入口に挿入されるべきシート体の搬送方向の上流側に伸長する伸長部材を有することを特徴とする。
【００１７】
この構成においては、蓋部材を開放位置に配置したときに伸長部材を伸長させることで、少なくとも画像形成前のシート体がより長く広い面積で保持される。
【００１８】
（３）前記仕切り部材は、前記開位置において前記シート体挿入口に挿入されるべきシート体の搬送方向の上流側に突出自在な突出部材を有することを特徴とする。
【００１９】
この構成においては、仕切り部材の一端部はシート体挿入口とシート体排出口との間に配置されるので、仕切り部材は画像形成前のシート体と画像形成後のシート体とを仕切るとともに、蓋部材に保持された画像形成前のシート体が倒れることを防止する。そして、仕切り部材を開位置に配置したときに突出部材を突出させることで、画像形成前のシート体はより上部まで仕切り部材の突出部材で支持される。
（４）前記仕切り部材は、前記開位置において、スプリングによって、前記蓋部材の方向に力を加えられることを特徴とする。
【発明の効果】
【００２０】
この発明によれば、以下の効果を奏することができる。
【００２１】
（１）一端部を支点にして蓋部材を揺動させることで、蓋部材を簡単な操作で開放位置及び閉鎖位置に変位させることができ、一端部を支点にして仕切り部材を揺動させることで仕切り部材を簡単な操作で開位置及び閉位置に変位させることができる。
【００２２】
また、画像形成動作などを行う装置の使用時には、蓋部材を開放位置に配置することで、少なくとも画像形成前のシート体を蓋部材で保持することができ、仕切り部材を開位置に配置することで、画像形成前のシート体と画像形成後のシート体とを仕切って、画像形成後のシート体が再びシート体挿入口からシート体搬送路に挿入されることを防止することができる。
【００２３】
さらに、画像形成動作などを行わない装置の不使用時には、蓋部材は閉鎖位置に配置されることで外装部材の一部を構成し、仕切り部材は閉位置に配置されることで装置本体内に収納されるので、画像記録装置の小型化を図ることができる。
【００２４】
したがって、装置の使用時には簡単な操作で画像形成前のシート体と画像形成後のシート体とを仕切った状態で保持できるとともに、装置の不使用時には簡単な操作で画像記録装置の小型化を図ることができる。
【００２５】
仕切り部材を蓋部材に連動して揺動させることができるので、いっそう操作性を向上させることができる。
【００２６】
（２）蓋部材を開放位置に配置したときに伸長部材を伸長させることで、少なくとも画像形成前のシート体を、より長く広い面積で保持することができる。したがって、画像形成前のシート体をより安定して保持することができ、シート体挿入口へより安定して挿入することができる。
【００２７】
（３）仕切り部材の一端部はシート体挿入口とシート体排出口との間に配置されるので、仕切り部材は画像形成前のシート体と画像形成後のシート体とを仕切ることができるとともに、蓋部材に保持された画像形成前のシート体が倒れることを防止することができる。そして、仕切り部材を開位置に配置したときに突出部材を突出させることで、画像形成前のシート体をより上部まで仕切り部材の突出部材で支持することができ、画像形成前のシート体が倒れることをいっそう確実に防止することができる。
【発明を実施するための最良の形態】
【００２８】
以下に、この発明の実施形態について図面に基づいて説明する。図２は、この発明の画像記録装置の実施形態に係るファクシミリ装置１０の外観構成を示す斜視図である。図３は、蓋部材が閉鎖位置にある状態のファクシミリ装置１０の構成を示す側面視の断面図である。図３において、ファクシミリ装置１０の左側が前部Ｆであり、ファクシミリ装置１０の右側が背部Ｂである。
【００２９】
ファクシミリ装置１０は、装置本体２０、蓋部材３０、仕切り板７０、外装部材６１などを備えている。装置本体２０は、原稿の画像を読み取る画像読取部４０、原稿挿入口４２から画像読取部４０を経由して原稿排出口４３に原稿を搬送する原稿搬送路４１、用紙などのシート体に画像を形成する画像形成部５０、及び、用紙挿入口５２から画像形成部５０を経由して用紙排出口５３に用紙を搬送する用紙搬送路５１を内蔵している。外装部材６１は、装置本体２０の外装を構成している。
【００３０】
ここで、画像読取部４０は、この発明の画像読取手段に相当する。画像形成部５０は、この発明の画像形成手段に相当する。用紙搬送路５１は、この発明のシート体搬送路に相当する。仕切り板７０は、この発明の仕切り部材に相当する。
【００３１】
外装部材６１は、上部に開口部６２（図４参照）を有し、開口部６２を塞ぐように蓋部材３０が取り付けられている。蓋部材３０は、図３に示すように開口部６２を塞ぐ閉鎖位置と、図４に示すように開口部６２を開放する開放位置との間で、揺動軸３１を支点にして揺動自在にされている。揺動軸３１は、蓋部材３０の一端部に設けられ、開口部６２の背部Ｂ側に軸支されている。蓋部材３０の詳細については後述する。
【００３２】
原稿搬送路４１は、開口部６２のうちの前部Ｆ側に開口する原稿挿入口４２と、装置本体２０の前部Ｆに開口する原稿排出口４３とを有する。原稿搬送路４１の中間には原稿搬送ローラ４４が配置され、原稿搬送ローラ４４と対向するように分離ゴム板４５が配置されている。原稿挿入口４２から挿入された原稿は、原稿搬送ローラ４４と分離ゴム板４５との間で１枚ずつに分離されるとともに、最も下側の１枚の原稿のみが原稿排出口４３に向けて搬送される。
【００３３】
原稿の搬送方向において原稿搬送ローラ４４の下流側には、イメージセンサ４６が配置され、イメージセンサ４６と対向するように背面ローラ４７が配置されている。原稿は、原稿搬送ローラ４４によってイメージセンサ４６と背面ローラ４７との間に送り込まれ、背面ローラ４７によって背面からイメージセンサ４６に押え付けられながら、イメージセンサ４６によって画像を読み取られる。画像を読み取られた原稿は、背面ローラ４７によって原稿排出口４３から装置本体２０の外部に排出される。イメージセンサ４６及び背面ローラ４７は、画像読取部４０に含まれる。
【００３４】
用紙搬送路５１は、略Ｕ字形に形成されており、一端に用紙挿入口５２を有し、他端に用紙排出口５３を有している。用紙挿入口５２は、開口部６２のうちの背部Ｂ側に開口している。用紙排出口５３は、開口部６２のうち原稿挿入口４２と用紙挿入口５２との間に開口している。すなわち、原稿挿入口４２、用紙挿入口５２及び用紙排出口５３は、画像読取前の原稿、画像形成前の用紙及び画像形成後の用紙の面方向に直交する方向に並設されている。なお、用紙挿入口５２は、この発明のシート体挿入口に相当し、用紙排出口５３は、この発明のシート体排出口に相当する。
【００３５】
用紙搬送路５１中であって用紙挿入口５２の近傍には、分離パッド５４と給紙ローラ５５とが互いに対向するように配置されている。
【００３６】
図４は、蓋部材３０が開放位置にある状態のファクシミリ装置１０の構成を示す側面視の断面図である。用紙は、積層された状態で用紙挿入口５２に挿入され、先端が分離パッド５４に突き当たった状態で収容される。そして、給紙ローラ５５が回転すると、給紙ローラ５５と分離パッド５４とによって、給紙ローラ５５に最も近い１枚の用紙のみが用紙排出口５３に向けて搬送される。
【００３７】
用紙の搬送方向において給紙ローラ５５の下流側には、プラテンローラ５６とサーマルヘッド５７とが互いに対向するように配置されている。また、プラテンローラ５６とサーマルヘッド５７との間には、インクフィルム５８が配置されている。インクフィルム５８は、用紙の搬送速度に合わせて用紙の搬送方向と同方向に送られる。
【００３８】
用紙は、プラテンローラ５６とインクフィルム５８との間に送り込まれ、サーマルヘッド５７によってインクフィルム５８のインクを熱転写され、これによって画像を形成される。プラテンローラ５６及びサーマルヘッド５７は、画像形成部５０に含まれる。
【００３９】
用紙の搬送方向においてプラテンローラ５６の下流側には、用紙排出ローラ５９が配置されている。用紙排出ローラ５９は、用紙排出口５３から用紙を上方に向けて排出する。
【００４０】
蓋部材３０は、画像読取動作や画像形成動作などを行うファクシミリ装置１０の使用時には、図４に示すように開放位置に配置され、画像読取動作や画像形成動作などを行わない不使用時には、図３に示すように閉鎖位置に配置される。
【００４１】
そして、蓋部材３０は、閉鎖位置において、外装部材６１の開口部６２を塞ぎ、原稿挿入口４２、用紙挿入口５２及び用紙排出口５３を覆っている。また、蓋部材３０は、閉鎖位置に配置されたとき、外装部材６１と面一に配置され、画像読取部４０、原稿搬送路４１、画像形成部５０、及び、用紙搬送路５１を内蔵するという意味で外装部材６１の一部を構成している。
【００４２】
仕切り板７０は、画像形成前の用紙及び画像形成後の用紙の面方向に直交する方向において、蓋部材３０に対して前部Ｆ側に所定間隔をあけて並設されている。仕切り板７０は一端部に揺動軸７１を有し、揺動軸７１は、用紙挿入口５２と用紙排出口５３との間で軸支されている。仕切り板７０は、揺動軸７１を支点して揺動する。
【００４３】
仕切り板７０は、連結部材８０によって蓋部材３０と連結されている。図５は、連結部材８０を示す構成図である。連結部材８０は、一端部８１を仕切り板７０に軸支されている。また、連結部材８０は、長孔８２を有し、長孔８２内において一端部８１の反対側の上側に凹部８３を有している。長孔８２内には、蓋部材３０の突起部３３が摺動自在に挿入されている。
【００４４】
図３に示すように、蓋部材３０が閉鎖位置に配置されているとき、仕切り板７０は、蓋部材３０の下側で装置本体２０内に収納されている。また、図４に示すように、蓋部材３０が開放位置に揺動するとき、蓋部材３０が開放位置方向に揺動する力が連結部材８０を介して仕切り板７０に伝達される。これによって、仕切り板７０は、蓋部材３０に連動して揺動し、開位置に変位する。
【００４５】
また、蓋部材３０が開放位置に配置され、仕切り板７０が開位置に配置されたとき、蓋部材３０の突起部３３が連結部材８０の凹部８３に嵌まり込むことによって、蓋部材３０と仕切り板７０との間に所定の間隔が保持される。
【００４６】
仕切り板７０は、開位置に配置されたとき、用紙挿入口５２から用紙搬送路５１に挿入されるべき画像形成前の用紙と、用紙排出口５３から排出された画像形成後の用紙とを仕切り、画像形成後の用紙が再び用紙挿入口５２に挿入されることを防止する。
【００４７】
また、仕切り板７０は、蓋部材３０が開放位置から閉鎖位置に揺動するときに、先端部を蓋部材３０に押されることで、蓋部材３０に連動して開位置から閉位置に揺動する。
【００４８】
蓋部材３０は、開放位置において、原稿挿入口４２、用紙挿入口５２及び用紙排出口５３を開放するとともに、原稿挿入口４２に挿入されるべき原稿、用紙挿入口５２に挿入されるべき用紙、及び、用紙排出口５３から排出された用紙を保持する。
【００４９】
具体的には、用紙挿入口５２に挿入されるべき画像形成前の用紙は、蓋部材３０に直接的に支持される。用紙排出口５３から排出された画像形成後の用紙は、下部については仕切り板７０で支持されるとともに、上部については画像形成前の用紙を挟んで間接的に蓋部材３０によって支持される。また、原稿挿入口４２に挿入されるべき原稿は、画像形成前の用紙及び画像形成後の用紙を挟んで間接的に蓋部材３０によって支持される。
【００５０】
上述のように、蓋部材３０は、開放位置に配置されることで、原稿を支持する原稿トレイ、画像形成前の用紙を支持する給紙トレイ、及び、画像形成後の用紙を支持する排紙トレイの役割をなしている。
【００５１】
図６は、蓋部材３０及び仕切り板７０の概略の構成を示す正面図である。蓋部材３０は、延長トレイ３２を有している。延長トレイ３２は、この発明の伸長部材に相当する。延長トレイ３２は、蓋部材３０が開放位置に配置されたとき、画像形成前の用紙の搬送方向において上流側に伸長自在に形成されている。例えば、延長トレイ３２は、３個の部材から構成され、３段階に伸長自在に形成されている。
【００５２】
仕切り板７０は、用紙倒れ防止板７２を有している。用紙倒れ防止板７２は、この発明の突出部材に相当する。用紙倒れ防止板７２は、用紙の搬送方向に直交する方向（用紙の幅方向）において仕切り板７０の一方の端部に一端部７３を軸支されている。そして、用紙倒れ防止板７２は、一端部７３を支点にして水平位置と垂直位置とに揺動自在にされている。用紙倒れ防止板７２は、水平位置に配置されたとき、用紙の面方向に直交する方向から見た場合の仕切り板７０の面積が大きくならないように配置される。一方、用紙倒れ防止板７２は、垂直位置に配置されたとき、蓋部材３０に保持されている画像形成前の用紙が前部Ｆ側に倒れることを防止する。
【００５３】
ファクシミリ装置１０によれば、揺動軸３１を支点にして蓋部材３０を揺動させることで、蓋部材３０を簡単な操作で開放位置及び閉鎖位置に変位させることができ、揺動軸７１を支点にして仕切り板７０を揺動させることで、仕切り板７０を簡単な操作で開位置及び閉位置に変位させることができる。したがって、従来のファクシミリ装置１のように給紙トレイ３を着脱する必要がなく、操作性がよい。また、仕切り板７０を蓋部材３０に連動して揺動させることができるので、いっそう操作性を向上させることができる。
【００５４】
また、画像形成動作などを行う装置１０の使用時には、蓋部材３０を開放位置に配置することで、画像読取前の原稿、画像形成前の用紙及び画像形成後の用紙を蓋部材３０で保持することができる。さらに、仕切り板７０を開位置に配置することで、画像形成前の用紙と画像形成後の用紙とを仕切って、画像形成後の用紙が再び用紙挿入口５２から用紙搬送路５１に挿入されることを防止することができる。
【００５５】
また、画像形成動作などを行わない装置１０の不使用時には、蓋部材３０は閉鎖位置に配置されることで外装部材６１の一部を構成し、仕切り板７０は閉位置に配置されることで装置本体２０内に収納されるので、ファクシミリ装置１０の小型化を図ることができる。
【００５６】
したがって、装置の使用時には簡単な操作で画像形成前の用紙と画像形成後の用紙とを仕切った状態で保持できるとともに、装置１０の不使用時には簡単な操作でファクシミリ装置１０の小型化を図ることができる。
【００５７】
また、蓋部材３０を閉鎖位置に配置することで、原稿挿入口４２、用紙挿入口５２及び用紙排出口５３のすべてを蓋部材３０で覆い、塵や埃から保護することができる。したがって、画像読取前の原稿及び画像形成前の用紙に加えて、画像形成後の用紙についても搬送ミスを防止することができる。また、装置１０の不使用時には蓋部材３０を閉鎖位置に配置し仕切り板７０を閉位置に配置することで、装置１０の占有面積を小さくすることができる。
【００５８】
さらに、蓋部材３０を開放位置に配置したときに伸長部材３２を伸長させることで、少なくとも画像形成前の用紙を、より長く広い面積で保持することができる。したがって、画像形成前の用紙をより安定して保持することができ、画像形成前の用紙を用紙挿入口５２へより安定して挿入することができる。
【００５９】
また、仕切り板７０の揺動軸７１は用紙挿入口５２と用紙排出口５３との間に配置されているので、仕切り板７０は画像形成前の用紙と画像形成後の用紙とを仕切ることができるとともに、蓋部材３０に保持された画像形成前の用紙が倒れることを防止することができる。そして、仕切り板７０を開位置に配置したときに用紙倒れ防止板７２を突出させることで、画像形成前の用紙をより上部まで仕切り板７０の用紙倒れ防止板７２で支持することができ、画像形成前の用紙が倒れることをいっそう確実に防止することができる。
【００６０】
なお、用紙倒れ防止板７２は、上述の実施形態では、用紙の幅方向において仕切り板７０の一方の端部に一つのみ設けているが、他方の端部にもさらに一つ設けてもよい。
【００６１】
図７〜図９は、他の実施形態に係るファクシミリ装置１０Ａの側面視断面の一部を拡大して示す説明図である。ファクシミリ装置１０Ａは、蓋部材３０と仕切り板７０とを連動させる機構を除いて、ファクシミリ装置１０と同様に構成されている。
【００６２】
図７に示すように、ファクシミリ装置１０Ａでは、蓋部材３０は揺動軸３１を頂点とした略Ｌ字状に形成され、開放位置に配置された状態において揺動軸３１の近傍から前部Ｆ側に突き出たレバー３４を有している。
【００６３】
また、仕切り板７０は、揺動軸７１を挟んで用紙倒れ防止板７２と反対側に突き出た第１レバー７４、及び、第１レバー７４に対して背部Ｂ側に略直角方向に突き出た第２レバー７５を有する。
【００６４】
また、ファクシミリ装置１０Ａは、開放レバー９０をさらに備えている。開放レバー９０は、蓋部材３０と仕切り板７０との中間の下方に配置されている。開放レバー９０は、揺動軸９１を支点として揺動自在にされている。開放レバー９０の上端部９２は、蓋部材３０のレバー３４と仕切り板７０の第１レバー７４との間に配置されている。
【００６５】
蓋部材３０が、揺動軸３１を支点として時計方向に、閉鎖位置から開放位置へ向けて揺動するとき、レバー３４は、開放レバー９０の上端部９２を前部Ｆ側に押す。これによって、開放レバー９０は、揺動軸９１を支点として反時計方向に揺動する。このため、開放レバー９０の上端部９２は前部Ｆ側に変位する力を受け、仕切り板７０の第１レバー７４を前部Ｆ側に押す。これによって、仕切り板７０は、揺動軸７１を支点として時計方向に、閉位置から開位置へ向けて揺動する。
【００６６】
すわなち、ファクシミリ装置１０Ａでは、蓋部材３０が閉鎖位置から開放位置へ向けて揺動すると、蓋部材３０の揺動する力が開放レバー９０を介して仕切り板７０に伝達され、蓋部材３０に連動して仕切り板７０が、閉位置から開位置へ向けて揺動する。
【００６７】
図８に示すように、ファクシミリ装置１０Ａは、さらに回転部材１００を備えている。回転部材１００は、回転軸１０１を支点として回転自在にされている。また、回転部材１００は、スプリング１１０によって、図８における時計方向（矢印Ｐ方向）に回転する力を常に受けている。
【００６８】
回転部材１００は、仕切り板７０の第２レバー７５を前部Ｆ側に押し、これによって仕切り板７０は、図８において時計方向に揺動する力を受ける。このため、仕切り板７０は、開位置に配置されたとき、蓋部材３０に保持されている画像形成前の用紙を所定の力で蓋部材３０に押え付ける。これによって、画像形成前の用紙の前部Ｆ側へ倒れることが防止される。
【００６９】
また、画像形成前の用紙を補給する場合は、仕切り板７０は、スプリング１１０の力に抗して手動で図８における反時計方向（矢印Ｑ方向）に揺動される。そして、用紙の補給後に、仕切り板７０から手が離され、又は、手の力が緩められると、仕切り板７０は、スプリング１１０の力によって図８における時計方向（矢印Ｒ方向）に揺動し、画像形成前の用紙を蓋部材３０に押え付ける。
【００７０】
図９に示すように、蓋部材３０が開放位置から閉鎖位置へ向けて揺動するとき、仕切り板７０は、先端部を蓋部材３０に押されることで、開位置から閉位置へ向けて、蓋部材３０に連動して揺動する。
【００７１】
ファクシミリ装置１０Ａによれば、仕切り板７０を蓋部材３０に連動させて揺動させることができる。このため、装置１０Ａの使用時と不使用時とで、蓋部材３０を開閉するのみで仕切り板７０をも開閉することができ、操作性が向上する。
【００７２】
また、仕切り板７０を蓋部材３０に連動させる機構が、装置本体２０の内部に収納されているため、仕切り板７０を蓋部材３０に連動させる機構が、塵や埃から保護される。また、装置１０Ａの使用時においては、仕切り板７０を蓋部材３０に連動させる機構が看者及び使用者の目に触れにくいため、看者及び使用者に煩雑な印象を与えることがない。
【００７３】
なお、画像記録装置１０は、用紙の他に、ＯＨＰフィルムなどのシート体に画像を形成することもできる。
【図面の簡単な説明】
【００７４】
【図１】従来の画像記録装置の構成を示す斜視図である。
【図２】この発明の画像記録装置の実施形態に係るファクシミリ装置の外観構成を示す斜視図である。
【図３】蓋部材が閉鎖位置にある状態の前記ファクシミリ装置の構成を示す側面視の断面図である。
【図４】蓋部材が開放位置にある状態の前記ファクシミリ装置の構成を示す側面視の断面図である。
【図５】連結部材を示す構成図である。
【図６】蓋部材及び仕切り板の概略の構成を示す正面図である。
【図７】他の実施形態に係るファクシミリ装置の側面視断面の一部を拡大して示す説明図である。
【図８】前記ファクシミリ装置の側面視断面の一部を拡大して示す説明図である。
【図９】前記ファクシミリ装置の側面視断面の一部を拡大して示す説明図である。
【符号の説明】
【００７５】
１０  ファクシミリ装置（画像記録装置）
２０  装置本体
３０  蓋部材
３１  揺動軸（一端部）
３２  延長トレイ（伸長部材）
４０  画像読取部
４１  原稿搬送路
４２  原稿挿入口
４３  原稿排出口
５０  画像形成部（画像形成手段）
５１  用紙搬送路（シート体搬送路）
５２  用紙挿入口（シート体挿入口）
５３  用紙排出口（シート体排出口）
６１  外装部材
７０  仕切り板（仕切り部材）
７１  揺動軸（一端部）
７２  用紙倒れ防止板（突出部材）
８０  連結部材
９０  開放レバー
１００  回転部材
１１０  スプリング
【図１】
0004729357.tif 000002
【図２】
0004729357.tif 000003
【図３】
0004729357.tif 000004
【図４】
0004729357.tif 000005
【図５】
0004729357.tif 000006
【図６】
0004729357.tif 000007
【図７】
0004729357.tif 000008
【図８】
0004729357.tif 000009
【図９】
0004729357.tif 000010